(57)【特許請求の範囲】
【請求項１】
遊技本体部を装着する内枠を、外枠に対して前後方向に平行移動可能にかつ開閉可能に設けると共に、内枠を移動するための枠駆動装置と、内枠を開閉駆動するための開閉駆動装置と、内枠とそれぞれの駆動装置とを連結状態および解放状態に切換え可能な切換手段とを設けたことを特徴とする遊技機。
【請求項２】
前記内枠は、所定の前進位置にあるときに、前面周縁部がほぼ外枠からはずれて開動可能になっている請求項１に記載の遊技機。
【請求項３】
前記内枠は、枠駆動装置と解放状態にあるときに、手動により移動可能になっている請求項１または２に記載の遊技機。
【請求項４】
前記内枠は、開閉駆動装置と解放状態にあるときに、手動により開閉可能になっている請求項１〜３のいずれかに記載の遊技機。
【請求項５】
前記切換手段は、内枠とそれぞれの駆動装置との各連結状態を同時に解放状態に切換え可能、および各解放状態を同時に連結状態に切換え可能になっている請求項１〜４のいずれかに記載の遊技機。
【請求項６】
前記切換手段は、キー操作に連動して動作するようになっている請求項１〜５のいずれかに記載の遊技機。
【請求項７】
前記遊技本体部は、遊技球の遊技領域を持つ遊技盤である請求項１〜６のいずれかに記載の遊技機。
【発明の詳細な説明】
【０００１】
【産業上の利用分野】
この発明は、遊技機の構造に関する。
【０００２】
【従来の技術】
従来、遊技盤に表示装置、変動入賞装置等を設け、所定の入賞条件および表示装置等の遊技条件にしたがって、遊技者に有利な遊技状態を発生するパチンコ遊技機がある。
【０００３】
このような遊技機は、四辺形をした外枠の片側に支軸を設け、この外枠に支軸を介して四辺形をした内枠を開動可能に取付け、この内枠に遊技盤等を装着していた。
【０００４】
【発明が解決しようとする課題】
この従来の遊技機は、外形のデザインの自由度が低く、また奥行き感、立体感に乏しい。
【０００５】
そのため、遊技機の外形を曲面構造にすることが考えられるが、この場合内枠が容易に開動するように、またメンテナンス等の点から内枠を移動可能にしたりする必要がある。
【０００６】
一方、内枠には遊技盤の外に種々の部品を取付けており、その構造等によって内枠の重量が増えつつある。したがって、モータ等を用いて内枠を自動的に駆動できるようにすることが望ましい。
【０００７】
しかし、内枠の駆動を自動化した場合、その駆動装置が故障したとき等に、内枠を手動によって駆動可能にする必要がある。
【０００８】
この発明は、このような問題点を解決することを目的としている。
【０００９】
【課題を解決するための手段】
第１の発明は、遊技本体部を装着する内枠を、外枠に対して前後方向に平行移動可能にかつ開閉可能に設けると共に、内枠を移動するための枠駆動装置と、内枠を開閉駆動するための開閉駆動装置と、内枠とそれぞれの駆動装置とを連結状態および解放状態に切換え可能な切換手段とを設ける。
【００１３】
第２の発明は、第１の発明において、前記内枠は、所定の前進位置にあるときに、前面周縁部がほぼ外枠からはずれて開動可能になっている。
【００１４】
第３の発明は、第１、第２の発明において、前記内枠は、枠駆動装置と解放状態にあるときに、手動により移動可能になっている。
【００１５】
第４の発明は、第１〜第３の発明において、前記内枠は、開閉駆動装置と解放状態にあるときに、手動により開閉可能になっている。
【００１７】
第５の発明は、第１〜第４の発明において、前記切換手段は、内枠とそれぞれの駆動装置との各連結状態を同時に解放状態に切換え可能、および各解放状態を同時に連結状態に切換え可能になっている。
【００１８】
第６の発明は、第１〜第５の発明において、前記切換手段は、キー操作に連動して動作するようになっている。
【００１９】
第７の発明は、第１〜第６の発明において、前記遊技本体部は、遊技球の遊技領域を持つ遊技盤である。
【００２０】
【実施例】
以下、本発明の実施例を図面に基づいて説明する。
【００２１】
図１は遊技機（パチンコ機）の正面図、図２はその側面図を示す。
【００２２】
遊技機の外形は、図３、図４にも示すように、ほぼ全体的に丸形に、下部が方形に形成されている。
【００２３】
この外形を形成する外枠１には、内枠２が収装される。内枠２には、前面のパネル部３にカバーガラス内に遊技盤５が装着され、その下部に遊技の操作部６が配設される。
【００２４】
外枠１は、丸形部位が筒状に、その筒状部７の前開口面がいくらか奥方に傾斜するように形成される。下部の方形部位は箱状に形成され、その箱状部８の前面に所定の開口が形成される。
【００２５】
外枠１の内側には、図５、図６のように筒状部７と箱状部８との間に内枠２の取付台１１が形成され、取付台１１の上部両側に前後方向にガイドレール１２が設置され、筒状部７の中央上部に前後方向にガイド軸受１３が設けられる。
【００２６】
内枠２は、外枠１の筒状部７の内側に略環状に形成された枠本体１４が配設され、枠本体１４の前面にパネル部３が設けられる。
【００２７】
枠本体１４は、中央上部に組付けられた前後方向に伸縮自由なガイド軸１５の一端が外枠１の筒状部７のガイド軸受１３に挿着され、底部に形成されたベアリングが設けられたガイド部１６を外枠１の取付台１１のガイドレール１２に乗せて、前後方向に移動（平行移動）自由に配設される。
【００２８】
枠本体１４の後退位置（初期位置）は、取付台１１の後縁壁と筒状部７のガイド軸受１３の端部とにより規制される。枠本体１４の前進位置は、ガイド軸１５の伸長位置と取付台１１のガイドレール１２端の段部とにより規制される。
【００２９】
パネル部３は、外枠１の筒状部７の開口内周に嵌め合わされる円盤部１７、円盤部１７から前方に膨出され基部が外枠１の箱状部８の開口に嵌め合わされる操作台部２０とにより形成される。
【００３０】
パネル部３の円盤部１７の裏面の左端（前面から見て）と枠本体１４の左端との間に図７のように上下の所定の部位に形成された一対のヒンジ２１を介して、パネル部３が枠本体１４に開閉可能に取付けられる。
【００３１】
円盤部１７の中央に形成された盤装着部に遊技盤５が装着される。遊技盤５には、打球発射装置から遊技球が遊技領域に発射され、領域内中央に遊技画像等を表示する画像表示装置２２が、その下方に変動入賞装置２３等が配設される。
【００３２】
円盤部１７の裏面の周囲には、打球発射装置、遊技球の誘導樋２４、遊技制御装置２５等が配設される。遊技盤５の裏面には、画像制御装置２６等が配設される。
【００３３】
円盤部１７の表面には、遊技盤５の前面を覆い、保護するカバーガラス枠２７が配設される。カバーガラス枠２７は、ヒンジを介して開閉可能に取付けられ、キー３０の開放操作によって開かれる。
【００３４】
操作台部２０は、操作面が前方に下がり傾斜面に形成され、その操作面に打球発射装置の打球発射、遊技等をコントロールする遊技操作部６、ならびに自動玉貸し装置等の操作部３１等が形成される。
【００３５】
そして、この内枠２を前後方向に移動するための枠駆動装置３２と、内枠２のパネル部３を開閉するための開閉駆動装置３３とが設けられる。
【００３６】
内枠２の枠駆動装置３２は、外枠１の取付台１１の後縁壁に設置されたモータ３４の正転、逆転によって前進、後退するスライドバー３５の先端のアーム３６が、図８、図９のように枠本体１４の下部に連結機構３７を介して連結される。
【００３７】
連結機構３７は、枠本体１４の下部にフック部材４０が水平状態の連結位置と先端を上げた解放位置とに切換え動作可能に配設される。
【００３８】
スライドバー３５のアーム３６にフック部材４０が連結された状態で、モータ３４が正転されると、アーム３６によって枠本体１４が押動されて内枠２が前進され、モータ３４が逆転されると、フック部材４０を介し枠本体１４が引動されて内枠２が後退される。
【００３９】
スライドバー３５のアーム３６からフック部材４０が解放された状態では、図６、図１０のように枠本体１４がフリーとなり、内枠２が手動によって前進、後退される。
【００４０】
フック部材４０は、後述する切換え機構５１を介し、キー３０の操作によって連結位置と解放位置とに切換え可能に形成される。
【００４１】
なお、外枠１の取付台１１のガイドレール１２部等に、内枠２の規定の前進位置、後退位置を検出するためのリミットスイッチ４１，４２が設置される。
【００４２】
パネル部３の開閉駆動装置３３は、上下のヒンジ２１の間にて円盤部１７の裏面にモータ４３が鉛直に設置され、枠本体１４のヒンジ２１のブラケット部にヒンジ２１の回動支点を中心とする所定の円弧に沿って内歯４４が形成されたギヤプレート４５が取付けられ、モータ４３の軸にギヤプレート４５の内歯４４にかみ合うピニオン４６が軸方向にスライド自由に装着される。
【００４３】
ピニオン４６がギヤプレート４５の内歯４４にかみ合った状態で、モータ４３を回転すると図１１のようにピニオン４６が内歯４４の円弧方向に転動し、その転動によってモータ４３を介しヒンジ２１を支点にパネル部３が回動される。モータ４３を正転するとパネル部３が開動され、モータ４３を逆転するとパネル部３が閉動される。
【００４４】
ピニオン４６がスライド（リフト）され、ギヤプレート４５の内歯４４とのかみ合いが解放された状態では、パネル部３がフリーとなり、パネル部３が手動により開閉される。
【００４５】
ピニオン４６をスライドさせるリフトレバー４７が図１２のように配設され、リフトレバー４７はワイヤ５０を介して切換え機構５１に連結され、キー３０の操作によってピニオン４６をかみ合い位置と解放位置とに切換え可能に形成される。
【００４６】
なお、枠本体１４のヒンジ２１のブラケット部、枠本体１４の右端部等に、パネル部３の規定の開位置、閉位置を検出するためのリミットスイッチ５２，５３が設置される。
【００４７】
切換え機構５１は、図５、図６、図８、図１３のように内枠２の枠本体１４の下部にスライドプレート５４が左右方向にスライド自由に配置され、スライドプレート５４の中央部がリンク５５を介して前記連結機構３７のフック部材４０に連結され、スライドプレート５４の左側部に前記リフトレバー４７のワイヤ５０が連結され、スライドプレート５４の右端部にスライドプレート５４を右側にスライドさせるためのレバー５６が取付けられる。
【００４８】
レバー５６の前方には、枠本体１４の右下端に設けられた錠５７の動作レバー６０が配設され、またスライドプレート５４に掛けられたスプリングによって、スライドプレート５４が左側の初期位置に、レバー５６が錠５７の動作レバー６０側に前傾した初期位置に付勢される。
【００４９】
錠５７にキー３０を差し込んで右に回すと、図１４のように動作レバー６０にレバー５６が押動されて、スライドプレート５４が右側にスライドされ、このスライドによって、リンク５５を介し連結機構３７のフック部材４０が解放位置に動作され、ワイヤ５０、リフトレバー４７を介し前記ピニオン４６が解放位置に動作される。キー３０を所定位置まで回すと、レバー５６からの反力が動作レバー６０の軸方向にかかるため、その位置にキー３０が保持される。
【００５０】
キー３０を戻すと、スプリングによって、図１３のようにスライドプレート５４、レバー５６が初期位置に戻され、これによって連結機構３７のフック部材４０が連結位置に復帰され、ピニオン４６がかみ合い位置に復帰される。
【００５１】
なお、キー３０を左に回すと、遊技盤５の前面を覆うカバーガラス枠２７が開けられる。
【００５２】
即ち、外枠１に内枠２が初期位置に収装された状態（パネル部３は閉状態）にあるときは、内枠２のパネル部３の円盤部１７、円盤部１７に装着された遊技盤５は、外枠１の筒状部７の内奥に位置され、周囲を筒状部７にて囲われる。
【００５３】
この状態にて、錠５７にキー３０を差し込み右に回すと、内枠２が手動によって前方に動かせられ、図１５のように所定の前進位置まで動かすと、内枠２のパネル部３の周縁部が外枠１からはずれて、パネル部３が手動によって図４のように開けられる。
【００５４】
この逆の操作を行えば、手動によって、パネル部３が閉じられ、内枠２が初期位置に戻され、キー３０を戻せば、開閉駆動装置３３のピニオン４６がかみ合い位置に復帰され、枠駆動装置３２の連結機構３７のフック部材４０が連結位置に復帰され、それぞれの連結によって、図１、図２のようにパネル部３が閉位置に、内枠２が初期位置に固定される。
【００５５】
なお、内枠２の枠本体１４の底部のガイド部１６の両側に図９、図１０のように連結機構３７のフック部材４０に連動する掛止部材６２が設けられ、フック部材４０が連結位置にあるときに、掛止部材６２が外枠１の取付台１１に形成された溝穴に掛止される。
【００５６】
図１６には枠駆動装置３２、開閉駆動装置３３の制御系のブロック構成を、図１７にはその制御フローを示す。
【００５７】
内枠２の前後方向の移動、開閉動を指令するための駆動スイッチあるいはリモートコントロール装置等の操作手段６３が設けられ、その操作手段６３からの信号が駆動制御装置６４に入力される。操作手段６３からの信号が入力されると、駆動制御装置６４によりリミットスイッチ４１，４２，５２，５３からの検出信号を基に、枠駆動装置３２のモータ３４ならびに開閉駆動装置３３のモータ４３が駆動制御される。
【００５８】
図１７のように、操作手段６３から開信号の入力があると、内枠２の規定の後退位置を検出する後進リミットスイッチ４２（ＳＷ２）がオンのとき、枠駆動装置３２のモータ３４（モータ１）を正転し、内枠２を前進動する（ステップ１〜３）。
【００５９】
内枠２の規定の前進位置を検出する前進リミットスイッチ４１（ＳＷ１）がオンすると、モータ３４（モータ１）を停止する（ステップ４，５）。
【００６０】
次に、開閉駆動装置３３のモータ４３（モータ２）を正転し、内枠２のパネル部３を開動する（ステップ６）。
【００６１】
内枠２のパネル部３の規定の開位置を検出する開動リミットスイッチ５２（ＳＷ３）がオンすると、モータ４３（モータ２）を停止する（ステップ７，８）。
【００６２】
一方、操作手段６３から閉信号の入力があると、内枠２のパネル部３の規定の開位置を検出する開動リミットスイッチ５２（ＳＷ３）がオンのとき、開閉駆動装置３３のモータ４３（モータ２）を逆転し、内枠２のパネル部３を閉動する（ステップ９〜１１）。
【００６３】
内枠のパネル部の規定の閉位置を検出する閉動リミットスイッチ５３（ＳＷ４）がオンすると、モータ４３（モータ２）を停止する（ステップ１２，１３）。
【００６４】
次に、枠駆動装置３２のモータ３４（モータ１）を逆転し、内枠２を後退動する（ステップ１４）。
【００６５】
内枠２の規定の後退位置を検出する後進リミットスイッチ４２（ＳＷ２）がオンすると、モータ３４（モータ１）を停止する（ステップ１５，１６）。
【００６６】
なお、この場合操作手段６３から開信号および閉信号のみを出力し、これらの信号を基に内枠２の前進動、パネル部３の開動およびパネル部の閉動、内枠の後退動を連続的に行っているが、操作手段６３から前進信号、開信号、閉信号、後退信号をそれぞれ別々に出力し、該当信号を基に内枠２の前進動、パネル部３の開動、パネル部３の閉動、内枠２の後退動を独立に行うようにしても良い。
【００６７】
このように構成してあり、内枠２を外枠１に対して前後方向に移動可能にすると共に、所定の前進位置にて内枠２のパネル部３を開くようにしたので、外形を曲面構造にする等、外形のデザインの高い自由度を得ることができる。
【００６８】
内枠２のパネル部３に装着した遊技盤５を外枠１の内奥に位置させて、奥行き感を出すことができる。内枠２のパネル部３の下部を前方に膨出させて、立体感のある遊技の操作部６を確保することができる。
【００６９】
また、外形が曲面構造であっても、内枠２のパネル部３を十分に開くことができる。内枠２を外枠１に嵌め合わせたままでは、逃げ等を設けないとパネル部３を回動しにくいが、内枠２を前進させてパネル部３の周縁部が外枠１からはずれた状態にて開くので、内枠２のパネル部３の十分な開動角度を確保できる。
【００７０】
このため、内枠２のパネル部３の形状を外枠１に合わせて形成でき、外枠１と内枠２との間に間隙があいたり、内枠２に切り欠き等を設ける必要がなくなる。内枠２の回動軸部（ヒンジ部）が露出することもない。
【００７１】
したがって、美観を損なうことがなく、内枠２のパネル部３の十分な開動角度を確保して、良好なメンテナンス性を得ることができる。
【００７２】
また、内枠２の移動およびそのパネル部３の開閉は、手動によって行えると共に、自動によっても行える。
【００７３】
内枠２には遊技盤５の外に種々の部品を取付けており、その構造等によって重量が大きいとき等、自動によって内枠２の移動、パネル部３の開閉を行えば、操作が楽になり、メンテナンスが容易になる。
【００７４】
また、手動、自動の切換えは、キー３０の操作によって行える。
【００７５】
通常の場合は、自動状態になっており、錠５７にキー３０を差し込んで回すと、枠駆動装置３２の連結機構３７のフック部材４０および開閉駆動装置３３のピニオン４６が解放して、内枠２の移動およびパネル部３の開閉を手動によって行える。また、キー３０を戻せば、枠駆動装置３２の連結機構３７のフック部材４０および開閉駆動装置３３のピニオン４６が連結して自動状態になり、内枠２の移動およびパネル部３の開閉を自動によって行える。手動状態への切換えは、内枠２およびパネル部３がいずれの位置にあっても行える。また、自動状態への切換えは、内枠２およびパネル部３がいずれの位置にあっても行えると共に、この場合キー３０を戻した状態でも、内枠２を後退動させると、その後退動によって枠駆動装置３２の連結機構３７のフック部材４０が枠駆動装置３２のスライドバー３５のアーム３６に連結するようになっている。
【００７６】
このように、手動、自動の切換えを簡単に行え、したがって自動装置の故障時にも容易に対応でき、メンテナンス性が一層向上する。
【００７７】
【発明の効果】
以上のようにこの発明によれば、内枠を移動、開閉可能にすると共に、その移動、開閉を手動および駆動装置を介し自動によって行えるので、遊技機の外形のデザインの高い自由度を確保でき、奥行き感、立体感のある遊技機を実現することができると共に、良好なメンテナンス性を確保できる。
【００７８】
また、その手動、自動の切換えを的確に、またキー操作に連動して容易に行えるので、一層良好なメンテナンス性を確保でき、駆動装置等の故障時にも容易に対応可能である。
【図面の簡単な説明】
【図１】遊技機の正面図である。
【図２】遊技機の側面図である。
【図３】遊技機のカバーガラスを開いた状態の正面図である。
【図４】遊技機の内枠を開いた状態の斜視図である。
【図５】内枠の移動機構部分の正面図である。
【図６】内枠の移動機構部分の平面図である。
【図７】内枠の開閉機構部分の側面図である。
【図８】移動機構部分の連結状態を示す平面図である。
【図９】移動機構部分の連結状態を示す側断面図である。
【図１０】移動機構部分の解放状態を示す側断面図である。
【図１１】開閉機構部分のピニオンの動作説明図である。
【図１２】開閉機構部分のピニオンの解放状態を示す側面図である。
【図１３】切換え機構部分の正面図である。
【図１４】切換え機構の動作説明図である。
【図１５】内枠の前進位置の側面図である。
【図１６】制御系のブロック構成図である。
【図１７】制御例を示すフローチャートである。
【符号の説明】
１  外枠
２  内枠
３  パネル部
５  遊技盤
６  遊技操作部
７  筒状部
８  箱状部
１１  取付台
１２  ガイドレール
１３  ガイド軸受
１４  枠本体
１５  ガイド軸
１６  ガイド部
１７  円盤部
２０  操作台部
２１  ヒンジ
２２  画像表示装置
２３  変動入賞装置
２４  誘導樋
２５  遊技制御装置
２６  画像制御装置
２７  カバーガラス枠
３０  キー
３２  枠駆動装置
３３  開閉駆動装置
３４  モータ
３５  スライドバー
３６  アーム
３７  連結機構
４０  フック部材
４１，４２  リミットスイッチ
４３  モータ
４４  内歯
４５  ギヤプレート
４６  ピニオン
４７  リフトレバー
５０  ワイヤ
５１  切換え機構
５２，５３  リミットスイッチ
５４  スライドプレート
５５  リンク
５６  レバー
５７  錠
６０  動作レバー
６２  掛止部材
６３  操作手段
６４  駆動制御装置
【図１】
0003907223.tif 000002
【図２】
0003907223.tif 000003
【図３】
0003907223.tif 000004
【図４】
0003907223.tif 000005
【図５】
0003907223.tif 000006
【図６】
0003907223.tif 000007
【図７】
0003907223.tif 000008
【図８】
0003907223.tif 000009
【図９】
0003907223.tif 000010
【図１０】
0003907223.tif 000011
【図１１】
0003907223.tif 000012
【図１２】
0003907223.tif 000013
【図１３】
0003907223.tif 000014
【図１４】
0003907223.tif 000015
【図１５】
0003907223.tif 000016
【図１６】
0003907223.tif 000017
【図１７】
0003907223.tif 000018